(57)【要約】【課題】衝突初期におけるチャイルドシートの安全性を向上した車両用シートを提供する。【解決手段】フレーム１１０と、フレーム１１０の材料よりも軟質の材料によって形成され、フレーム１１０の少なくとも上端部１１１をカバーするパッド１２０とを有するバックレスト１００を有する車両用シートを、バックレスト１００は、フレーム１１０の上端部１１１に対して上方側、後方側の少なくとも一方に配置され、変形強度がフレーム１１０よりも小さくかつパッド１２０よりも大きいエネルギ吸収部１５０を備える構成とする。【選択図】図１
2006321451.tif 000002
【特許請求の範囲】
【請求項１】
フレームと、
前記フレームの材料よりも軟質の材料によって形成され、前記フレームの少なくとも上端部をカバーするパッドと
を有するバックレストを備えた車両用シートにおいて、
前記バックレストは、前記フレームの上端部に対して上方側、後方側の少なくとも一方に配置され、変形強度が前記フレームよりも小さくかつ前記パッドよりも大きいエネルギ吸収部を備えること
を特徴とする車両用シート。
【請求項２】
請求項１に記載の車両用シートにおいて、
前記バックレストの後方側の面部に設けられ、チャイルドシートのテザーベルトが接続される接続部を備えることを特徴とする車両用シート。
【請求項３】
請求項１又は請求項２に記載の車両用シートにおいて、
前記エネルギ吸収部は、前記フレームの上端部からその上方側、後方側の少なくとも一方に突き出して形成され、塑性変形領域を有する材料によって形成されたステー部を備えること
を特徴とする車両用シート。
【請求項４】
請求項１又は請求項２に記載の車両用シートにおいて、
前記エネルギ吸収部は、その少なくとも一部を前記パッドの材料よりも硬度が大きい樹脂発泡体によって形成したこと
を特徴とする車両用シート。
【請求項５】
請求項１又は請求項２に記載の車両用シートにおいて、
前記エネルギ吸収部は、前記車両用シートの幅方向に延在する屈曲部を有する板金部材を備えること
を特徴とする車両用シート。
【発明の詳細な説明】
【技術分野】
【０００１】
本発明は、テザーベルトを備えたチャイルドシートが装着される車両用シートに関するものである。
【背景技術】
【０００２】
例えば自動車等の車両のシート（座席）に装着されるチャイルドシートは、幼児等を収容するチャイルドシート本体又はこれが固定されるベースを、車両側のシートのクッション（座面）とバックレスト（背もたれ）との間に備えられるアンカーや、シートベルトによって車両に固定するものであり、チャイルドセーフティシート（ＣＲＳ）とも称される。
【０００３】
チャイルドシートは、車両の衝突等により大きな減速加速度が発生した場合に、前方側に倒れることを防止する目的で、その上端部と車両の一部とを接続するテザーベルトを備えたものが知られている（例えば、特許文献１）。
また、チャイルドシートは、テザーベルトに大荷重が入力されることを防止するため、テザーベルトとシートベルトとを連結する連結部材を備えたものが知られている（例えば、特許文献２）。
【特許文献１】特開平７−６１２６８号公報
【特許文献２】特開平１１−３２１４０７号公報
【発明の開示】
【発明が解決しようとする課題】
【０００４】
上述したチャイルドシートのテザーベルトは、通常はシートのバックレストの上端縁部に沿って曲がった状態で配置される。
しかし、シートのバックレストは、一般に金属製のパイプ等を用いて形成されたフレーム（芯材）の周囲に、発泡ウレタン等の軟質材料によって形成されたパッドを配置していることから、衝突時等にテザーベルトに張力がかかった場合、テザーベルトによってパッドが押し潰されることによってチャイルドシートが移動し、チャイルドシートの初期拘束力を確保することが困難であった。また、テザーベルトは、上述したパッドの変形が終了する際にその張力が急激に増加し、チャイルドシートに大きな減速加速度を発生させてしまう。このような現象は、テザーベルトの車両側の接続部をバックレストの後方側の面部に固定した場合に特に顕著である。
上述した問題に鑑み、本発明の課題は、衝突初期におけるチャイルドシートの安全性を向上した車両用シートを提供することである。
【課題を解決するための手段】
【０００５】
本発明は、以下のような解決手段により、上述した課題を解決する。
請求項１の発明は、フレームと、前記フレームの材料よりも軟質の材料によって形成され、前記フレームの少なくとも上端部をカバーするパッドとを有するバックレストを備えた車両用シートにおいて、前記バックレストは、前記フレームの上端部に対して上方側、後方側の少なくとも一方に配置され、変形強度が前記フレームよりも小さくかつ前記パッドよりも大きいエネルギ吸収部を備えることを特徴とする車両用シートである。
【０００６】
請求項２の発明は、請求項１に記載の車両用シートにおいて、前記バックレストの後方側の面部に設けられ、チャイルドシートのテザーベルトが接続される接続部を備えることを特徴とする車両用シートである。
請求項３の発明は、請求項１又は請求項２に記載の車両用シートにおいて、前記エネルギ吸収部は、前記フレームの上端部からその上方側、後方側の少なくとも一方に突き出して形成され、塑性変形領域を有する材料によって形成されたステー部を備えることを特徴とする車両用シートである。
請求項４の発明は、請求項１又は請求項２に記載の車両用シートにおいて、前記エネルギ吸収部は、その少なくとも一部を前記パッドの材料よりも硬度が大きい樹脂発泡体によって形成したことを特徴とする車両用シートである
請求項５の発明は、請求項１又は請求項２に記載の車両用シートにおいて、前記エネルギ吸収部は、前記車両用シートの幅方向に延在する屈曲部を有する板金部材を備えることを特徴とする車両用シートである。
【発明の効果】
【０００７】
本発明によれば、フレームの上端部に対して上方側、後方側の少なくとも一方に突き出して配置されたエネルギ吸収部を設けたことによって、バックレストの上端縁部に沿って配置されたテザーベルトに衝突に起因して張力が発生した際に、チャイルドシートの前方側への移動に応じてエネルギ吸収部が変形しながらエネルギを吸収し、テザーベルトの張力がフレームに加わるまでの間にチャイルドシートの運動エネルギを減殺する。これによって、テザーベルトの張力がフレームに加わった際にテザーベルトの張力が急激に増加し、チャイルドシートに大きな減速加速度が加わることを防止してチャイルドシート使用者のダメージを低減することができる。
【発明を実施するための最良の形態】
【０００８】
本発明は、衝突初期におけるチャイルドシートの安全性を向上した車両用シートを提供するという課題を、フレーム上端部の上方側かつ後方側の領域に、変形強度がフレームより小さくかつパッドよりも大きいエネルギアブソーバを設けることによって解決した。
【実施例１】
【０００９】
以下、本発明を適用した車両用シートの実施例１について説明する。
このシートは、クッション１０（図３参照）と、バックレスト１００とを備えている。
クッション１０は、成人等が着座した際にその臀部から大腿部を支持する座面を備えている。
バックレスト１００は、その下端部をクッション１０の後端部に隣接して配置され、成人等が着座した際にその背中を支持する背もたれの部分である。
なお、本明細書中、上下、前後等の向きは、特記ない限り着座者が車両前方を向くようにシートを車両に固定した場合の車両の向きを示すものとする。
【００１０】
図１は、実施例１の車両用シートにおけるバックレストを車幅方向から見た状態を示す断面図である。
バックレスト１００は、フレーム１１０、パッド１２０、カバー１３０、ヘッドレストブッシュ１４０、エネルギアブソーバ１５０を備えている。
【００１１】
フレーム１１０は、バックレスト１００の芯材として機能する構造部材であって、例えば鋼製の丸パイプを加工して形成されている。
図２は、フレーム１１０及びエネルギアブソーバ１５０を車両の前方側から見た状態を示す図である。
フレーム１１０は、上端部１１１と側辺部１１２とを備えている。
上端部１１１は、バックレスト１００の上端部近傍に配置され、略車幅方向に直線状に延在する部分である。
側辺部１１２は、上端部１１１の車幅方向における両端部から下方に延在する部分であって、上端部１１１と同じ丸パイプを曲げ加工して一体に形成されている。
また、フレーム１１０は、その内周側に例えばバネ鋼等の線材によって形成された図示しないスプリングが設けられる。
【００１２】
パッド１２０は、例えば発泡ウレタン等のフレーム１１０の材料よりも軟質でありクッション性を有する材料によって形成され、フレーム１１０をカバーするものである。
パッド１２０は、その成形用モールド（金型）中に、フレーム１１０を後述するエネルギアブソーバ１５０とともに配置していわゆるインモールド成形によって形成され、これによって、フレーム１１０は、パッド１２０の略中心部に埋め込まれる。
【００１３】
カバー１３０は、例えば布類や天然又は人工皮革類によって形成されたバックレスト１００の表皮部であって、パッド１２０の表面部に備えられている。
【００１４】
バックレストブッシュ１４０は、図示しないヘッドレストのステーが挿入される筒状の部材であって、その中心軸を略上下方向に配置されている。バックレストブッシュ１４０は、１つのヘッドレストに対して例えば２つが設けられ、これらは車幅方向に並べて平行に配置されている。
図１に示すように、バックレストブッシュ１４０は、フレーム１１０の上端部１１１を凹ませて形成された干渉防止用の凹部内にその一部が配置されている。また、図２に示すように、フレーム１１０の上端部１１１は、バックレストブッシュ１４０を支持するブラケット１１１ａを備えている。ブラケット１１１ａは、例えば鋼製の小片であって、フレーム１１１の凹部付近に溶接して固定されている。
【００１５】
エネルギアブソーバ（エネルギ吸収部）１５０は、例えば鋼等の塑性変形領域を有する材料の線材（棒材）によって形成され、上端部１５１と、ステー部１５２とを備えている。
上端部１５１は、図１に示すように、フレーム１１０の上端部１１１に対して上方側かつ後方側の領域に設けられ、バックレスト１００の上端面の後側のコーナー部Ｃに隣接して配置されている。
また、上端部１５１は、図２に示すように、フレーム１１０の上端部１１１と略平行に車幅方向に直線状に延在している。
【００１６】
ステー部１５２は、上端部１５１の両端部を曲げることによって上端部１５１と連続的かつ一体に形成されている。
ステー部１５２は、図１に示すように、車幅方向から見て前方側が下がるように配置されている。ステー部１５２の前方側（下方側）の領域１５２ａは、フレーム１１０の上端部１１１の下部から後部にかけて、その外周面に沿って湾曲して形成され、上端部１１１と溶接して固定されている。ステー部１５２の後方側（上方側）の領域１５２ｂは、フレーム１１０の上端部１１１から、エネルギアブソーバ１５０の上端部１５１に直線状に延在している。
また、ステー部１５２は、図２に示すように、上端部１５１を車幅方向に挟んだ両端部に平行して配置されている。ステー部１５２は、車幅方向においてブラケット１１１ａと重なった位置に配置され、これによってエネルギアブソーバ１５０の上端部１５１は、図示しないヘッドレストの一対のステー間の略全幅にわたって配置される。
【００１７】
図３は、実施例１の車両用シートにチャイルドシートを装着した状態を示す模式図であって、図３（ａ）は通常の状態を示し、図３（ｂ）は前面衝突後の状態を示している。
チャイルドシート５００は、幼児等が前方を向いて着座した状態で拘束されるものであって、その下端部に接続された図示しないベルト及びテザーベルト５１０によってシートに固定されている。
【００１８】
図３（ａ）に示すように、チャイルドシート５００は、通常時にはその下面部をクッション１０に当接させるとともに、後方側の面部をバックレスト１００に当接させた状態で固定される。
テザーベルト５１０は、その一方の端部をチャイルドシート５００の上端部に接続され他方の端部をバックレスト１００の後方側の面部に固定された図示しないテザーアンカ（接続部）に接続されている。
テザーベルト５１０は、その中間部がバックレスト１００の上端部に沿って配置され、上述したコーナー部Ｃにおいて屈曲して配置されている。テザーベルト５１０は、図示しないヘッドレストの１対のステーの間を通して配置されている。
【００１９】
チャイルドシート５００は、車両が前方衝突し、過大な減速加速度が発生した場合は、図３（ｂ）に示すように、その上端部がバックレスト１００に対して前方側に移動し、下面部とクッション１０との接触部付近を中心として前転する挙動を示す。
このような挙動は、チャイルドシート５００の運動エネルギによってテザーベルト５１０に張力が発生し、この張力によってコーナー部Ｃ近傍のパッド１２０がフレーム１１０側に押圧され、変形することに起因して生ずるものである。そして、図３（ｂ）に示すように、パッド１２０の変形が終了し、テザーベルト５１０の張力に起因する入力をフレーム１１０が受け始める際にチャイルドシート５００の変位は終了する。
【００２０】
この実施例１のシートにおいては、上述したパッド１２０の変形と連動して、その内部に配置されたエネルギアブソーバ１５０も変形を受ける。
エネルギアブソーバ１５０は、ステー１５２の後方側（上方側）の領域１５２ｂが、フレーム１１０の上端部１１１と近接する箇所を支点として前方側に回転するように曲げ変形を受ける。
エネルギアブソーバ１５０は、このような変形における変形強度がフレーム１１０よりも小さくかつパッド１２０よりも大きくなるように配慮してその線径、材質、曲げ形状等を設定されている。
【００２１】
以上のように、実施例１によれば、フレーム１１０の上端部１１１に対して上方側かつ後方側に突き出して配置された上端部１５１を有するエネルギアブソーバ１５０を設けたことによって、衝突によりテザーベルト５１０に張力が発生した際に、チャイルドシート５００の前方側への移動に応じてエネルギアブソーバ１５０のステー部１５２が変形しながらエネルギを吸収し、フレーム１１０が入力を受け始めるまでにチャイルドシート５００の運動エネルギを減殺する。これによって、フレーム１１０が入力を受け始めるタイミングでチャイルドシート５００に急激に減速加速度が発生することを防止し、減速加速度のピークを低減することによって、チャイルドシートに拘束された幼児等の傷害値を軽減することができる。
【実施例２】
【００２２】
次に、本発明を適用した車両用シートの実施例２について説明する。なお、以下説明する各実施例において、上述した実施例１と同様の部分については同じ符号を付して説明を省略し、主に相違点について説明する。
図４は、実施例２の車両用シートにおけるバックレストを車幅方向から見た状態を示す断面図である。実施例２の車両用シートは、実施例１のエネルギアブソーバ１５０に代えて、以下説明するエネルギアブソーバ２５０を備えたものである。
【００２３】
エネルギアブソーバ２５０は、ＰＰブロック２５１とブラケット２５２とを備えている。
ＰＰブロック２５１は、例えばポリプロピレン（ＰＰ）の発泡体によって略直方体に形成され、フレーム１１０の上端部１１１の上方側かつ後方側の領域に配置されている。
ＰＰブロック２５１は、車幅方向から見た形状が前後方向に長い矩形状に形成され、その上面部をバックレスト１００の上面部と略平行に配置されている。
図５は、フレーム１１０及びエネルギアブソーバ２５０を車両の前方側から見た状態を示す図である。
ＰＰブロック２５１は、車幅方向においてフレーム１１０の一対のブラケット１１１ａの間にわたして配置されている。
【００２４】
ブラケット２５２は、フレーム１１０の上端部に固定され、ＰＰブロック２５１を支持するものであって、図４に示すように、ＰＰブロック２５１の下面部に接する面部２５２ａの前端部及び後端部を上方側に折り曲げることによって、ＰＰブロック２５１の前面及び後面とそれぞれ当接する面部２５２ｂ，２５２ｃが形成され、ＰＰブロック２５１の前後方向への移動が規制されている。
面部２５２ａは、フレーム１１０の上端部１１１の上部に溶接されている。面部２５２ｂは、その下端部において、ブラケット１１１ａと突き合わせて溶接されている。
また、面部２５２ａの下面部から下方に突き出した面部２５２ｄが設けられ、この面部２５２ｄは、フレーム１１０の上端部１１１の後部に溶接されている。
図５に示すように、ブラケット２５２は、車幅方向においてブラケット１１１ａと重なった位置に配置されている。
【００２５】
エネルギアブソーバ２５０は、上述した実施例１（図３参照）と同様に、前面衝突によってテザーベルト５１０の張力が発生した場合に変形を許容する程度の変形強度に形成され、この変形強度は、フレーム１１０よりも小さくかつパッド１２０より大きく設定されている。
このような変形強度の設定は、例えばＰＰブロック２５１をパッド１２０の材料よりも硬度が大きい材料によって形成することによって行われるが、材質の選択や発泡率の変更等によって決定される材料の物性に加えて、以下説明するように、ＰＰブロック２５１の形状によっても変形強度を調整することができる。
【００２６】
図６は、ＰＰブロックの形状による変形強度の調整方法を示す図である。
図６（ａ）に示すＰＰブロック２６１は、上述したＰＰブロック２５１に、その上下方向に貫通する開口２６１ａを形成したものである。この開口２６１ａは、車幅方向に例えば３つが配列されている。ＰＰブロック２６１は、このような開口のサイズ、形状、個数、配置等を変更することによって、その変形強度を調整することができる。
【００２７】
図６（ｂ）に示すＰＰブロック２７１は、上述したＰＰブロック２５１の上面部を凹ませて溝部２７１ａを形成したものである。この溝部２７１は、車幅方向に延在し、その両端部は、ＰＰブロック２７１の側面側に開放されている。溝部２７１ａは、車両の前後方向に例えば２本が平行に配列されている。ＰＰブロック２７１は、このような溝の位置、深さ、形状、本数等を変更することによって、その変形強度を調整することができる。
【００２８】
以上のように、実施例２によれば、上述した実施例１の効果に加え、ＰＰブロック２５１の材質や形状等を変更することによって、エネルギアブソーバ２５０の変形強度を容易に調整することができ、衝突初期におけるチャイルドシートの拘束力をチューニングすることができる。
【００２９】
図７は、上述した実施例１、実施例２と、本発明の比較例であるシートにおける前面衝突時のテザーベルトの変位と張力との相関を示すグラフである。なお、この比較例は、実施例１のシートにおいて、エネルギアブソーバ１５０を省略したものである。
図７において、横軸はテザーベルトの変位量を示し、これはチャイルドシート５１０の上端部の前方側への移動量と略同じとなる。一方、縦軸はテザーベルト５１０の張力を示している。
比較例は、衝突初期に張力がほとんど発生しない状態で変位が大きくなり、その後張力が急激に立ち上がっている。
【００３０】
これに対し、実施例１、実施例２は、衝突初期のテザーベルト５１０の変位が微小な段階においても張力の立ち上がりが早く、さらにテザーベルト５１０の変位が増加する行程にわたって、比較例よりも大きな張力が維持されているから、エネルギアブソーバ１５０、２５０が変形してチャイルドシート５００の運動エネルギを吸収していることがわかる。
また、実施例１、実施例２は、テザーベルト５１０の変位が最大となる衝突後期において、張力が急激に立ち上がることがなく、チャイルドシート５００において減速加速度が急激に発生することがない。
さらに、実施例１、実施例２は、張力の最大値（ピーク値）も比較例に対して低減されており、最大加速度が小さくなっていることがわかる
【実施例３】
【００３１】
次に、本発明を適用した車両用シートの実施例３について説明する。
図８は、実施例３の車両用シートにおけるバックレストを車幅方向から見た状態を示す断面図である。実施例３の車両用シートは、実施例１のエネルギアブソーバ１５０に代えて、以下説明するエネルギアブソーバ３５０を備えたものである。
【００３２】
エネルギアブソーバ３５０は、例えば金属製の板材を用いた板金加工によって形成されている。
エネルギアブソーバ３５０は、フレーム１１０の上端部１１１の後部に溶接され、ここから上方に延在する面部３５１と、面部３５１の上端部から後方側に延在する面部３５２と、面部３５２の後端部から下方に延在する面部３５３とを備えている。これらの面部３５１，３５２，３５３は、同じ板材を曲げ加工して形成され、これらの屈曲部は、車幅方向に直線状に延在している。
【００３３】
面部３５１の下端部３５１ａは、前方側に折り曲げられ、その先端部はフレーム１１０の上端部の下部に溶接されている。また、面部３５１のフレーム１１０側の面部から前方側に突き出して形成された面部３５４が設けられ、その前端部は、フレーム１１０の上端部１１１の上部に溶接されている。
【００３４】
図９は、フレーム１１０及びエネルギアブソーバ３５０を車両の前方側から見た状態を示す図である。
エネルギアブソーバ３５０は、車幅方向においてフレーム１１０の一対のブラケット１１１ａの間にわたして配置され、各部分の幅は全体にわたって一様に形成されている。
【００３５】
エネルギアブソーバ３５０は、実施例１と同様に、前面衝突によってテザーベルト５１０の張力が発生した場合に変形を許容する程度の変形強度に形成され、この変形強度は、フレーム１１０よりも小さくかつパッド１２０より大きく設定されている。
エネルギアブソーバ３５０は、このような変形は、主として面部３５１と面部３５２との間の屈曲部、面部３５２と面部３５３との間の屈曲部に集中し、これらの屈曲部が曲がることによってエネルギを吸収する。
このような変形強度の調整は、例えば各部の板厚や材質を変更するほか、屈曲部の数や配置を変更することによって行われる。
【００３６】
図１０は、エネルギアブソーバの形状による変形強度の調整方法を示す図である。
図１０に示すエネルギアブソーバ３６０は、上述したエネルギアブソーバ３５０の面部３５２の一部を下方側に凹ませて溝部３５２ａを形成したものである。この溝部３５２ａは、その横断面形状を略Ｖ字状に形成され、車幅方向にエネルギアブソーバ３６０の全幅にわたって延在している。このようなエネルギアブソーバ３６０は、エネルギアブソーバ３５０に対して、変形吸収箇所となる屈曲部の数が増加しているため、その変形強度が小さくなる。
以上説明した実施例３においても、上述した実施例１、２と同様の効果を奏することができる。
【００３７】
（変形例）
本発明は、以上説明した実施例に限定されることなく、種々の変形や変更が可能であって、それらも本発明の均等の範囲内である。
（１）各実施例は、バックレストの後側の面部にテザーベルトを接続する接続部を備えたものであるが、これに限らず、本発明は、テザーベルトの接続部をルーフ部や、シート後方側の床部、リアシェルフ部等に備える車両であっても適用することができる。
（２）エネルギ吸収部の構成は、各実施例のものに限定されず、適宜変更することが可能である。例えば、実施例１のような中実丸棒に代えて、中空のパイプや、異型断面の線材を用いてエネルギ吸収部を形成してもよい。
【図面の簡単な説明】
【００３８】
【図１】本発明を適用した車両用シートの実施例１におけるバックレストの断面図である。
【図２】図１の車両用シートのフレームとエネルギアブソーバとを示す図である。
【図３】図１の車両用シートにチャイルドシートを装着した状態を示す模式図である。
【図４】本発明を適用した車両用シートの実施例２におけるバックレストの断面図である。
【図５】図４の車両用シートのフレームとエネルギアブソーバとを示す図である。
【図６】実施例２の車両用シートにおけるＰＰブロックの変形強度の調整方法を示す図である。
【図７】本発明の実施例１、実施例２、比較例の車両用シートにおけるテザーベルトの変位と張力との相関を示すグラフである。
【図８】本発明を適用した車両用シートの実施例３におけるバックレストの断面図である。
【図９】図８の車両用シートのフレームとエネルギアブソーバとを示す図である。
【図１０】実施例３の車両用シートにおけるエネルギアブソーバの変形強度の調整方法を示す図である。
【符号の説明】
【００３９】
１００    バックレスト
１１０    フレーム
１２０    パッド
１３０    カバー
１４０    ヘッドレストブッシュ
１５０    エネルギアブソーバ
【図１】
2006321451.tif 000003
【図２】
2006321451.tif 000004
【図３】
2006321451.tif 000005
【図４】
2006321451.tif 000006
【図５】
2006321451.tif 000007
【図６】
2006321451.tif 000008
【図７】
2006321451.tif 000009
【図８】
2006321451.tif 000010
【図９】
2006321451.tif 000011
【図１０】
2006321451.tif 000012